(57)【特許請求の範囲】
【請求項１】
第１の入力信号及び当該第１の入力信号に対する第１の視聴規制年齢に応じた規制レベルが設定される第１のレイテイング情報を含む第１の付加情報と、第２の入力信号及び当該第２の入力信号に対する第２の視聴規制年齢に応じた規制レベルが設定される第２のレイテイング情報を含む第２の付加情報とを受信する受信手段と、
上記第１の付加情報及び上記第２の付加情報からそれぞれ上記第１のレイテイング情報及び上記第２のレイテイング情報をデコードするデコーダと、
上記第１の入力信号に対応する第１の画像及び上記第２の入力信号に対応する第２の画像を同一画面上に表示する画像表示手段と、
ユーザによつて予め設定される視聴者の年齢に応じて上記第１の画像及び上記第２の画像の表示が規制される規制レベルに関するユーザレイテイング報を有し、上記第１の付加情報に含まれる上記第１のレイテイング情報の規制レベルと上記ユーザによつて設定されたユーザレイテイング情報の規制レベルとを比較して、上記第１のレイテイング情報に基づいた規制レベルが上記ユーザレイテイング情報の上記規制レベルよりも高い場合、上記第１の入力信号に対応する上記第１の画像を上記画像表示手段に表示しないよう制御すると共に、上記第２の付加情報に含まれる上記第２のレイテイング情報の規制レベルとを上記ユーザによつて設定された上記ユーザレイテイング情報の規制レベルとを比較して、上記第２のレイテイング情報の規制レベルが上記ユーザレイテイング情報の規制レベルよりも高い場合、上記第２の入力信号に対応する上記第２の画面を上記画像表示手段に表示しないよう制御する制御手段と
を具えることを特徴とする画像受信装置。
【請求項２】
上記制御手段により表示しないと判断された画像は、上記画像表示手段に黒く表示される
ことを特徴とする請求の範囲第１項に記載の画像受信装置。
【請求項３】
上記制御手段により表示しないと判断された画像は、上記画像表示手段に表示規制されていることを示すキヤラクタを表示する
ことを特徴とする請求の範囲第１項に記載の画像受信装置。
【請求項４】
上記キヤラクタはチヤンネル情報である
ことを特徴とする請求の範囲第３項に記載の画像受信装置。
【請求項５】
上記制御手段により表示しないと判断された画像を表示させるための暗証番号を入力する暗証番号入力手段を有する
ことを特徴とする請求の範囲第１項に記載の画像受信装置。
【請求項６】
上記レイテイング情報を再設定するための入力手段を有する
ことを特徴とする請求の範囲第１項に記載の画像受信装置。
【請求項７】
上記デコーダは、上記第１の付加情報をデコードする第１のデコーダと、上記第２の付加情報をデコードする第２のデコーダとを有する
ことを特徴とする請求の範囲第１項に記載の画像受信装置。
【請求項８】
上記第１の付加情報及び上記第２の付加情報を上記デコーダに所定の切り換えタイミングで順次切り換えて入力する切換え手段を有し、
上記所定の切り換えタイミングは、上記付加情報が付加された位置だけ水平同期信号をカウントしたときのタイミングか、垂直同期信号によつて１フイールド毎に切り換えるか、又は数十メガヘルツオーダの早さで切り換える
ことを特徴とする請求の範囲第１項に記載の画像受信装置。
【請求項９】
受信装置によつて、第１の入力信号及び当該第１の入力信号に対する第１の視聴規制年齢に応じた規制レベルが設定される第１のレイテイング情報を含む第１の付加情報と、第２の入力信号及び当該第２の入力信号に対する第２の視聴規制年齢に応じた規制レベルが設定される第２のレイテイング情報を含む第２の付加情報とを受信する受信ステップと、
デコーダによって上記第１の付加情報及び前記第２の付加情報をデコーダによつてデコードするステツプと、
画像表示手段によつて、上記第１の入力信号に対応する第１の画像及び上記第２の入力信号に対応する第２の画像を同一画面上に表示する画像表示ステップと、
制御手段において、ユーザによつて予め設定される視聴者の年齢に応じて上記第１の画像及び上記第２の画像の表示が規制される規制レベルに関するユーザレイテイング情報を有し、上記第１の付加情報に含まれる上記第１のレイテイング情報の規制レベルと上記ユーザによつて設定されたユーザレイテイング情報の規制レベルとを比較して、上記第１のレイテイング情報に基づいた規制レベルが上記ユーザレイテイング情報の上記規制レベルよりも高い場合、上記第１の入力信号に対応する上記第１の画像を上記画像表示手段に表示しないよう制御すると共に、上記第２の付加情報に含まれる上記第２のレイテイング情報の規制レベルとを上記ユーザによつて設定された上記ユーザレイテイング情報の規制レベルとを比較して、上記第２のレイテイング情報の規制レベルが上記ユーザレイテイング情報の規制レベルよりも高い場合、上記第２の入力信号に対応する上記第２の画面を上記画像表示手段に表示しないよう制御する制御ステップと
を具えることを特徴とする画像表示方法。
【請求項１０】
上記制御ステツプにより表示しないと判断された画像は、黒く表示される
ことを特徴とする請求の範囲第９項に記載の画像表示方法。
【請求項１１】
上記制御ステツプにより表示しないと判断された画像は、表示規制されていることを示すキヤラクタを表示する
ことを特徴とする請求の範囲第９項に記載の画像表示方法。
【請求項１２】
上記キヤラクタはチヤンネル情報である
ことを特徴とする請求の範囲第１１項に記載の画像表示方法。
【請求項１３】
上記制御ステツプにより表示しないと判断された画像を表示させるための暗証番号をユーザに入力させるステツプを有する
ことを特徴とする請求の範囲第９項に記載の画像表示方法。
【請求項１４】
上記レイテイング情報をユーザに再設定させるステツプを有することを特徴とする請求の範囲第９項に記載の画像表示方法。
【請求項１５】
上記デコードするステツプは、上記第１の付加情報及び上記第２の付加情報を所定の切り換えタイミングで順次切り換えて、順次デコードし、
上記所定の切り換えタイミングは、上記付加情報が付加された位置だけ水平同期信号をカウントしたときのタイミングか、垂直同期信号によつて１フイールド毎に切り換えるか、又は数十メガヘルツオーダの早さで切り換える
ことを特徴とする請求の範囲第９項に記載の画像表示方法。
【発明の詳細な説明】
技術分野
本発明はデコード装置及びデコード方法に関し、特に同一画面上に複数の画面を表示する画像受信装置のデコード装置及びデコード方法に適用して好適なものである。
背景技術
例えば図１に示すテレビジヨン受信装置１のように、アンテナ２によつて受信したテレビジヨン信号をチユーナ３によつて選局した第１のビデオ信号Ｓ１及び第１の音声信号Ｓ１０と、ＶＴＲ等の第２の入力ソースから端子ＥＸを通じて供給される第２のビデオ信号Ｓ２及び第２の音声信号Ｓ２０をそれぞれスイツチＳＷ１に供給する。
スイツチＳＷ１はマイクロプロセツサ５の制御によつて、第１のビデオ信号Ｓ１及び第１の音声信号Ｓ１０又は、第２のビデオ信号Ｓ２及び第２の音声信号Ｓ２０の何れか一方側の入力信号を主ビデオ信号ＳＡとして選択して、ビデオプロセツサ６及びマイクロプロセツサ５へ送出する。
ビデオプロセツサ６は、主ビデオ信号ＳＡと水平同期信号ＳＨ及び垂直同期信号ＳＶとを分離した後、主ビデオ信号ＳＡをＣＲＴ７へ送出し、水平同期信号ＳＨ及び垂直同期信号ＳＶをマイクロプロセツサ５及びＣＲＴ７を駆動する偏向回路８へと送出する。
ここでマイクロプロセツサ５は、主ビデオ信号ＳＡに付加された字幕信号であるクローズドキヤプシヨンデータをキヤプシヨンビジヨン・デコーダ９によつてデコードしている。さらにキヤプシヨンビジヨン・デコーダ９は主ビデオ信号ＳＡに付加されたＸＤＳ（ＥＤＳ）（Extended Data Service）信号をデコードする。
ＸＤＳ信号は、クローズド・キヤプシヨンデータの隙間にインターリーブする形で伝送されるパケツト化された信号で、例えば番組の開始時刻、内容等の様々なデータを伝送することができる。
そこでこのＸＤＳ信号を用いて、未成年の視聴が好ましくないテレビジヨン放送番組の画面表示を規制することが考えられている。
すなわち放送局は予め各番組の内容について推奨される視聴年令の評価を行い、この視聴年令に関するコード（Rating）をＸＤＳ信号として伝送する。また、受信機側では視聴者の年令に関するレベルを設定しておき、このレベルと伝送されてきたコードとを比較し、所定の条件を満たした場合にのみ放送番組を画面表示することができるようにするものである。マイクロプロセツサ５は、ユーザが設定したレイテイングの段階と、放送局によつて設定され伝送されてきたレイテイングの段階を比較し、この比較結果に基づいて番組の表示を制御する。
ここでいうレイテイングとは、元来、映画の中の過激な暴力シーン等の表現内容が未成年者に対して観覧を規制すべきものであるか否かを判断した段階評価であり、このレイテイングに基づいて上映に際して年齢制限等の規制を課すようにしている。
ユーザが所望のレベルにレイテイングを設定した場合、まずマイクロプロセツサ５内のキヤプシヨンビジヨン・デコーダ９は、ＸＤＳ信号をデコードしてユーザが設定した段階と比較する。比較の結果、所定の条件を満たさない時は、画面表示を制御するコントロール信号ＹＳを生成し、ビデオプロセツサ６に供給する。またキヤプシヨンビジヨン・デコーダ９は主ビデオ信号ＳＡのクローズドキヤプシヨン・データを画像信号化したクローズドキヤプシヨン信号ＳＡ２もビデオプロセツサ６に送出する。
このときビデオプロセツサ６では、主ビデオ信号ＳＡをＲ、Ｇ、Ｂの３原色信号に変換すると共に、コントロール信号ＹＳに基づいて主画像の画面表示のオン／オフ制御を実行する。
ところで上述したような、テレビジヨン受信装置１ではキヤプシヨンビジヨン・デコーダ９が一台だけしか設けられていない。従つて例えば２つ以上の入力ソースから得られる画像信号を同一画面上にいわゆる親子画面（主画面、副画面）として表示することのできるピクチヤ・イン・ピクチヤ機能や複数のチヤンネルの画像を並べて表示するマルチピクチヤ機能を有したテレビジヨン受信装置では、主ビデオ信号ＳＡについてのみクローズドキヤプシヨンデータやＸＤＳデータをデコードすることが可能であるが、副画像用のクローズドキヤプシヨンデータやＸＤＳデータをデコードすることができない。
このため例えばユーザが放送番組に対してレイテイングを設定した場合でも、画面表示規制は主画像に対してのみ有効となり、ＸＤＳデータがデコードされない副画像に対しては規制がかからないで表示されてしまうという問題がある。
そこでこのような問題に対する解決策として例えば、２台のキヤプシヨンビジヨン・デコーダを設けることによつて、主ビデオ信号ＳＡ及び副ビデオ信号ＳＢのそれぞれに対してのクローズドキヤプシヨンデータやＸＤＳデータをデコードする方法が考えられるが、この場合はコストがかかり過ぎるという問題がある。
発明の開示
本発明は以上の点を考慮してなされたもので、複数の入力信号に対応する画像を同一画面上に表示すると共に、各入力信号に対する付加情報に応じた各画面表示制御を個別になし得る簡易な構成のデコード装置及びデコード方法を提案しようとするものである。
かかる課題を解決するため本発明において、第１の入力信号に対する第１の視聴規制年齢に応じた規制レベルが設定される第１のレイテイング情報を含む第１の付加情報と、第２の入力信号に対する第２の視聴規制年齢に応じた規制レベルが設定される第２のレイテイング情報を含む第２の付加情報を受信する受信手段と、第１及び第２の付加情報からそれぞれ第１及び第２のレイテイングをデコードするデコーダと、第１の入力信号に対応する第１の画像及び第２の入力信号に対応する第２の画像を同一画面上に表示する画像表示手段と、ユーザによつて予め設定される視聴者の年齢に応じて第１の画像及び第２の画像の表示が規制される規制レベルに関するユーザレイテイング情報を有し、第１の付加情報に含まれる第１のレイテイング情報の規制レベルとユーザによつて設定されたユーザレイテイング情報の規制レベルとを比較して、第１のレイテイング情報に基づいた規制レベルがユーザレイテイング情報の規制レベルよりも高い場合、第１の入力信号に対応する第１の画像を上記画像表示手段に表示しないよう制御すると共に、第２の付加情報に含まれる第２のレイテイング情報の規制レベルとをユーザによつて設定されたユーザレイテイング情報の規制レベルとを比較して、第２のレイテイング情報の規制レベルがユーザレイテイング情報の規制レベルよりも高い場合、第２の入力信号に対応する第２の画面を画像表示手段に表示しないよう制御する制御手段とを備えるようにする。
これにより同時に入力された第１の入力信号に対応する第１の画像及び第２の入力信号に対応する第２の画像を同一画面上に表示する場合、第１入力信号及び第２入力信号にそれぞれ含まれる視聴規制年齢に応じた規制レベルが設定されるレイテイング情報の規制レベルとユーザによって設定される視聴者の年齢に応じたレイテイング情報規制レベルとをそれぞれ比較し、その結果に応じて第１の画像の表示及び第２の画像の表示をそれぞれ個別に表示させないように制御することにより、同一画面上に表示される第１の画像及び第２の画像を個別に制御することができ、かくして同一画面上に表示された各々の画像の表示を個別に制御できる画像受信装置を実現し得る。
【図面の簡単な説明】
図１は従来のテレビジヨン受信装置の構成を示すブロツク図である。
図２は本発明によるテレビジヨン受信装置の全体構成を示すブロツク図である。
図３は画像表示例を示す略線図である。
図４はＹＵＶスイツチの構成を示す略線図である。
図５は他の実施例によるテレビジヨン受信装置の全体構成を示すブロツク図である。
図６は他の実施例による画面表示例を示す略線図である。
発明を実施するための最良の形態
以下図面について、本発明の一実施例を詳述する。
図１との対応部分に同一符号を付した図２において、１０は全体としてテレビジヨン受信装置を示し、アンテナ２によつて受信したテレビジヨン信号がチユーナ３に送出されるとユーザによる遠隔装置１１の操作に基づいてマイクロプロセツサ５から発信されるコントロール信号ＳＣ１によつて所望の放送局が選局され、第１のビデオ信号Ｓ１及び第１の音声信号Ｓ１０としてスイツチＳＷ１に送出される。
同様にして、ＶＴＲ等の第２の入力ソースから外部端子ＥＸを通じて入力される第２のビデオ信号Ｓ２及び第２の音声信号Ｓ２０がスイツチＳＷ１に送出される。
スイツチＳＷ１では、内部コントロールバスＣＢを通じたマイクロプロセツサ５の制御により、チユーナ３による入力信号とＶＴＲによる入力信号のいずれかを選択する。スイツチＳＷ１によつて選択された音声信号は、オーデイオプロセツサ１２を介してマイクロプロセツサ５より内部コントロールバスＣＢを通じて出力されるコントロール信号ＳＣ１０の制御により低音、高音、左右バランス、サラウンド効果及び音量等が調整された後、増幅回路１３により音声増幅されスピーカ１４より出力される。
一方、マイクロプロセツサ５は、ユーザの遠隔操作装置１１による操作に基づいて内部コントロールバスＣＢを通じてスイツチＳＷ１を制御し、第１のビデオ信号Ｓ１又は、第２のビデオ信号Ｓ２のいずれか一方の入力信号を主ビデオ信号ＳＡとして選択してビデオプロセツサ６に送出すると共に、第１のビデオ信号Ｓ１又は第２のビデオ信号Ｓ２のいずれかの入力信号を副ビデオ信号ＳＢとしてピクチヤミユート１６を介してピクチヤ・イン・ピクチヤプロセツサ１７に送出する。
このときスイツチＳＷ１より出力される主ビデオ信号ＳＡ及び副ビデオ信号ＳＢは同時にスイツチＳＷ２にも分岐して出力される。
ビデオプロセツサ６には、スイツチＳＷ１を介して主ビデオ信号ＳＡが入力される一方、ピクチヤ・イン・ピクチヤプロセツサ１７よりキヤラクタ・ジエネレータ１８を介して副ビデオ信号ＳＢが入力される。
ビデオプロセツサ６は、主ビデオ信号ＳＡと水平同期信号ＳＨ及び垂直同期信号ＳＶでなる同期信号とを分離した後、主ビデオ信号ＳＡと同期信号とをそれぞれＣＲＴ７及び偏向回路８に送出する。そしてビデオプロセツサ６の出力信号のＲ、Ｇ、Ｂ信号を水平同期信号ＳＨ及び垂直同期信号ＳＶに同期させて偏向回路８によつて走査させることによつてＣＲＴ７上に画面表示する。このときＣＲＴ７に表示される画像は、マイクロプロセツサ５から内部コントロールバスＣＢによつてビデオプロセツサ６を制御することにより画質調整される。
さらにビデオプロセツサ６は、水平同期信号ＳＨ及び垂直同期信号ＳＶをマイクロプロセツサ５及びピクチヤ・イン・ピクチヤプロセツサ１７へとそれぞれ送出する。
ピクチヤ・イン・ピクチヤプロセツサ１７は、マイクロプロセツサ５から内部コントロールバスＣＢを通じて出力されるコントロール信号ＳＣ１０に応じて副ビデオ信号ＳＢのＹ、Ｕ、Ｖ信号でなる副画像をキヤラクタジエネレータ１８を介してビデオプロセツサ６に出力する。ビデオプロセツサ６によつて主画像の一部に副画像が挿入される。ビデオプロセツサ６の出力信号であるＲ、Ｇ、Ｂ信号は水平同期信号ＳＨ及び垂直同期信号ＳＶに同期させて偏向回路８によつて走査され、ＣＲＴ７上に画面表示される。
この結果、図３（Ａ）に示すように、ＣＲＴ７の表示画面には、主画像Ｐ１の一部に当該主画像Ｐ１よりも小さな副画像Ｐ２が挿入される。
またビデオプロセツサ６は、マイクロプロセツサ５からのコントロール信号ＹＳに応じて主画面のキヤプシヨンビジヨンを水平同期信号ＳＨ及び垂直同期信号ＳＶに同期させることによつてＣＲＴ７上の所望の画面位置に表示するようになされている。
同様にしてキヤラクタ・ジエネレータ１８は、マイクロプロセツサ５から内部コントロールバスＣＢを通じて出力されるコントロール信号ＳＣ１０に応じて副画像のキヤプシヨンビジヨンを副画像の所望の画面位置に挿入するようになされている。キヤプシヨンビジヨンや副画像のチヤンネル番号等の文字が挿入されたキヤラクタ・ジエネレータ１８の出力信号は、ビデオプロセツサ６に送出される。これにより、図３（Ａ）に示すように、副画像Ｐ２には当該副画像Ｐ２として選局されているチヤンネルの番号がチヤンネル番号キヤラクタＰC2として表示される。
また、キヤラクタ・ジエネレータ１８は、マイクロプロセツサ５からのコントロール信号ＳＣ１０によつて、このとき選局されている主画像Ｐ１のチヤンネル番号をチヤンネル番号キヤラクタＰC1として主画像Ｐ１の一部に表示する。
マイクロプロセツサ５は、コントロール信号発生部１９が発生するスイツチング制御用のコントロール信号ＳＣ１５によつてスイツチＳＷ２を切り換えて主ビデオ信号ＳＡ及び副ビデオ信号ＳＢを交互にキヤプシヨンビジヨン・デコーダ９に送出する。
すなわちマイクロプロセツサ５は、まず始めにスイツチＳＷ２を介して選択された主ビデオ信号ＳＡの水平同期信号ＳＨを垂直同期信号ＳＶの検出からカウントして、21本目のライン（21ライン）に達した時点でスイツチＳＷ２を切換えるようにコントロール信号ＳＣ１５を発生させて、スイツチＳＷ２を副ビデオ信号ＳＢ側に切り換える。
マイクロプロセツサ５は、次に主ビデオ信号ＳＡから切り換えられた副ビデオ信号ＳＢの水平同期信号ＳＨを垂直同期信号ＳＶを検出した位置からカウントして、21ラインに達した時点でコントロール信号発生部１９より再度ユントロール信号ＳＣ１５を発生させ、スイツチＳＷ２を今度は主ビデオ信号ＳＡ側に切り換えるように制御する。以下マイクロプロセツサ５は、スイツチＳＷ２に対して上述したスイツチング制御をくり返し実行する。
この間マイクロプロセツサ５は、キヤプシヨンビジヨン・デコーダ９においてコントロール信号発生部１９によつて切り換えられ交互に入力される主ビデオ信号ＳＡ及び副ビデオ信号ＳＢの各々から各主ビデオ信号ＳＡ及び副ビデオ信号ＳＢのフイールド２の21ライン目で伝送されているＸＤＳ信号ＳＸ１及びＳＸ２に設定される画面表示規制のデータをそれぞれ検出してデコードする。
ＸＤＳデータは、テレビジヨン信号のフイールド２、ライン21にパケツト化されたデータであり、ビデオ信号の付加情報としてデータサービスを提供するためのものである。
キヤプシヨンビジヨン・デコーダ９は、主ビデオ信号ＳＡ及び副ビデオ信号ＳＢに付加されたＸＤＳ信号ＳＸ１及びＳＸ２をそれぞれデコードすることにより、当該ＸＤＳ信号ＳＸ１及びＳＸ２に付加されてくる画面表示規制データを検出し、これにより主画像及び副画像に送信側で予め設定されたレイテイングを判別する。
ここでマイクロプロセツサ５は、キヤプシヨンビジヨン・デコーダ９による各主画像及び副画像のレイテイングの判別結果と、予め受信側のマイクロプロセツサ５においてユーザによつて設定されているレイテイングデータとを比較する。
そしてマイクロプロセツサ５は、この比較結果に基づいて主画像及び副画像の画面表示規制を制御するコントロール信号ＳＣ２０及びＳＣ２１を生成してそれぞれピクチヤミユート１６及びＯＲ回路２１に送出する。
ピクチヤミユート１６は、スイツチＳＷ１からピクチヤ・イン・ピクチヤプロセツサ６に送出される副ビデオ信号ＳＢを黒レベルに設定する機能を有し、マイクロプロセツサ５から出力されるコントロール信号ＳＣ２０によつてオン／オフ制御される。
またＯＲ回路２１は、マイクロプロセツサ５から送出されるコントロール信号ＳＣ２１による主画像の画面表示タイミングと、ピクチヤ・イン・ピクチヤプロセツサ６から送出される副画像の画面表示タイミングとの論理和（ＯＲ）をコントロール信号ＳＣ２２として図４に示すようなビデオプロセツサ６のＹＵＶスイツチＳＷ１０に送出する。
ＹＵＶスイツチＳＷ１０はコントロール信号ＳＣ２２に応じて主ビデオ信号ＳＡと副ビデオ信号ＳＢとを切り換えてＣＲＴ７に出力するようにしたものである。
この場合、まず主画像の画面表示のみをブロツクするには、マイクロプロセツサ５より主画像のビデオ信号を黒レベルにすることによつて出力オフに設定するようなコントロール信号ＳＣ２１をＯＲ回路２１に送出する。この結果、ＹＵＶスイツチＳＷ１０は主画像の画面表示規制の期間中、副画像側に切り換えられたままの状態に設定され、図３（Ｂ）に示すように、ＣＲＴ７には主画像Ｐ１が表示される部分は黒く表示規制され、副画像Ｐ２が表示される部分のみ映像が写し出される。
このときマイクロプロセツサ５はコントロール信号ＳＣ１０をオーデイオプロセツサ１２に送出することにより、通常の表示規制されない状態において主画像Ｐ１に対応してスピーカ１４から出力されている音声を、当該主画像Ｐ１の表示規制に応じて出力停止状態に制御する。この時、主画像Ｐ１の音声の代わりに副画像Ｐ２の音声を出力しても良い（但し、副画像が表示規制されていない時のみ）。
また、主画像Ｐ１が黒く表示規制されているとき、キヤラクタ・ジエネレータ１８はマイクロプロセツサ５から供給されるコントロール信号ＳＣ１０によつて、ＣＲＴ７に表示されている主画像Ｐ１の一部にレーテイング表示キヤラクタＰC3を表示することにより、当該主画像Ｐ１が表示規制されていることを視聴者に認識させることができる。
因みに、主画像Ｐ１が表示規制されている場合においても、キヤラクタ・ジエネレータ１８はマイクロプロセツサ５から供給されるコントロール信号ＳＣ１０によつて、主画像Ｐ１にチヤンネル表示キヤラクタＰC1を表示することにより、当該主画像Ｐ１が黒レベルに規制されてその画像が見えない状態であつても、このとき選局されている主画像Ｐ１のチヤンネル番号を視聴者に知らせることができる。
また副画像の画面表示のみをブロツクする場合は、マイクロプロセツサ５よりピクチヤミユート１６に出力されるコントロール信号ＳＣ２０によつてピクチヤミユートをオンにして、ピクチヤ・イン・ピクチヤプロセツサ６に送出される副ビデオ信号ＳＢを黒レベルに設定する。このとき、ＹＵＶスイツチＳＷ１０は、コントロール信号ＳＣ２２に応じて主ビデオ信号ＳＡと副ビデオ信号ＳＢとを切り換えながらＣＲＴ７に送出することにより、当該ＣＲＴ７の表示画面には、図３（Ｃ）に示すように、主ビデオ信号ＳＡによる主画面Ｐ１が表示されると共に、当該主画面Ｐ１の一部にはピクチヤミユート１６によつて黒レベルに規制された副画像Ｐ２が表示される。
このとき、キヤラクタ・ジエネレータ１８は、マイクロプロセツサ５から供給されるコントロール信号ＳＣ１０によつて、黒レベルに規制された副画像Ｐ２の一部にレーテイング表示キヤラクタＰC4を表示することにより、当該副画像Ｐ２が表示規制されていることを視聴者に認識させることができる。
因みに、副画像Ｐ２が表示規制されている場合においても、キヤラクタ・ジエネレータ１８はマイクロプロセツサ５から供給されるコントロール信号ＳＣ１０によつて、副画像Ｐ２にチヤンネル表示キヤラクタＰC2を表示することにより、当該副画像Ｐ２が黒レベルに規制されてその画像が見えない状態であつても、このとき選局されている副画像のチヤンネル番号を視聴者に知らせることができる。
また主画像及び副画像の画面表示を共にブロツクする場合は、マイクロプロセツサ５より主画像の出力オフを設定するコントロール信号ＳＣ２１をＯＲ回路２１に出力すると共に、マイクロプロセツサ５よりピクチヤミユート１６にピクチヤミユートをオンに設定するコントロール信号ＳＣ２０を出力する。
この結果、ＹＵＶスイツチＳＷ１０は主画像及び副画像の画面表示規制の期間中、副画像側に切り換えられたままに設定され、なおかつ副ビデオ信号ＳＢが黒レベルに設定されているので図３（Ｄ）に示すように、ＣＲＴ７には主画像Ｐ１及び副画像Ｐ２の何方もがブロツクされ出力されないように設定される。このときマイクロプロセツサ５はコントロール信号ＳＣ１０をオーデイオプロセツサ１２に送出することにより、通常の表示規制されない状態において主画像Ｐ１に対応してスピーカ１４から出力されている音声を、当該主画像Ｐ１の表示規制に応じて出力停止状態に制御する。
また、主画像Ｐ１及び副画像Ｐ２が共に黒く表示規制されているとき、キヤラクタ・ジエネレータ１８は、マイクロプロセツサ５から供給されるコントロール信号ＳＣ１０によつて、黒レベルに規制された主画像Ｐ１及び副画像Ｐ２のそれぞれ一部にレーテイング表示キヤラクタＰC3及びＰC4を表示することにより、当該主画像Ｐ１及び副画像Ｐ２の両方が表示規制されていることを視聴者に認識させることができる。
因みに、主画像Ｐ１及び副画像Ｐ２の両方が表示規制されている場合においても、キヤラクタ・ジエネレータ１８はマイクロプロセツサ５から供給されるコントロール信号ＳＣ１０によつて、主画像Ｐ１にチヤンネル表示キヤラクタＰC1を表示すると共に、副画像Ｐ２にチヤンネル表示キヤラクタＰC2を表示することにより、当該主画像Ｐ１及び副画像Ｐ２が黒レベルに規制されてそれぞれの画像が見えない状態であつても、このとき選局されている主画像及び副画像の各チヤンネル番号を視聴者に知らせることができる。
さらに主画像及び副画像を共に表示させる場合は、マイクロプロセツサ５より主画像の出力オンを設定するコントロール信号ＳＣ２１をＯＲ回路２１に出力し、このとき同時にマイクロプロセツサ５より出力されるコントロール信号ＳＣ２０によつてピクチヤミユート１６はオフに設定しておく。この場合、ＹＵＶスイツチＳＷ１０は主画像及び副画像の画面表示の期間中、主画像の水平同期信号ＳＨ及び垂直同期信号ＳＶをもとに、主画像及び副画像のそれぞれの画像出力オンのタイミングに同期して切り換えられる。この結果、図３（Ａ）に示したようにＣＲＴ７の同一画面上に主画像Ｐ１及び副画像Ｐ２が共に出力される。
因みに、受信側において表示規制を解除する方法としてはユーザがマイクロプロセツサ５に対して暗唱番号を入力したり、メニユー画面等を開いてレイテイングに関する視聴者年齢を再設定すること等が考えられる。
またマイクロプロセツサ５は、キヤプシヨンビジヨン・デコーダ９によりクローズドキヤプシヨンデータよりデコードされた主画像のキヤプシヨンビジヨン信号ＳＡ２をビデオプロセツサ６に送出する。マイクロプロセツサ５はこのとき同時に、キヤプシヨンビジヨンを表示するか否かを制御するためのコントロール信号ＹＳをビデオプロセツサ６に送出する。
さらにマイクロプロセツサ５は、キヤラクタ・ジエネレータ１８に対して内部コントロールバスＣＢを通じて出力するコントロール信号ＳＣ１０によつて副画像のクローズドキヤプシヨン・データよりデコードされたキヤプシヨンビジヨン信号ＳＢ２から副画像のキヤプシヨンビジヨンを表示するか否かを制御する。さらにマイクロプロセツサ５は、内部コントロールバスＣＢを通じてキヤラクタ・ジエネレータ１８に出力するコントロール信号ＳＣ１０によつて副画像のキヤプシヨンビジヨン表示の位置を制御する。
キヤラクタ・ジエネレータ１８は、コントロール信号ＳＣ１０に基づいてビデオプロセツサ６より送出される水平同期信号ＳＨ及び垂直同期信号ＳＶにキヤプシヨンビジヨン信号ＳＢ２を同期させることによつて、キヤプシヨンビジヨンの表示位置を制御してキヤプシヨンビジヨン信号ＳＢ２をもとに副画面のキヤプシヨンビジヨンを生成するようになされている。
以上の構成において、テレビジヨン信号及びビデオ信号がそれぞれチユーナ３及び端子ＥＸを通じて入力されると、スイツチＳＷ１においてそれぞれ主ビデオ信号ＳＡ及び副ビデオ信号ＳＢとして選択され、主ビデオ信号ＳＡはビデオプロセツサ６へと、また副ビデオ信号ＳＢはピクチヤ・イン・ピクチヤプロセツサ１７へと送出される。主ビデオ信号ＳＡ及び副ビデオ信号ＳＢは、このとき同時にスイツチＳＷ２にも分岐して送出される。
スイツチＳＷ２では、主ビデオ信号ＳＡ及び副ビデオ信号ＳＢがマイクロプロセツサ５の制御によつて交互に切り換えられてキヤプシヨンビジヨン・デコーダ９に送出される。このとき、マイクロプロセツサ５は、主ビデオ信号ＳＡ及び副ビデオ信号ＳＢの各水平同期信号ＳＨをカウントして、それぞれのフイールド２の垂直同期信号ＳＶから21ライン毎のタイミングでスイツチＳＷ２を切り換え制御する。
従つて、スイツチＳＷ２が主ビデオ信号ＳＡを選択しているとき、マイクロプロセツサ５は、当該主ビデオ信号ＳＡの垂直同期信号ＳＶを検出した後、当該垂直同期信号ＳＶから21ライン分の水平同期信号ＳＨをカウントすることにより、当該21ライン目までの主ビデオ信号ＳＡをキヤプシヨンビジヨン・デコーダ９に取り込む。これにより、当該主ビデオ信号ＳＡにおいてフイールド２の21ライン目に付加されているＸＤＳ信号ＳＸ１がキヤプシヨンビジヨン・デコーダ９に取り込まれる。
主ビデオ信号ＳＡの21ライン分のカウントが終了すると、マイクロプロセツサ５はスイツチＳＷ２を切り換えることにより、副ビデオ信号ＳＢをキヤプシヨンビジヨン・デコーダ９に取り込む。そして、マイクロプロセツサ５は当該副ビデオ信号ＳＢの垂直同期信号ＳＶを検出した後、当該垂直同期信号ＳＶから21ライン分の水平同期信号ＳＨをカウントすることにより、当該21ライン目までの副ビデオ信号ＳＢをキヤプシヨンビジヨン・デコーダ９に取り込む。これにより、当該副ビデオ信号ＳＢにおいてフイールド２の21ライン目に付加されているＸＤＳ信号ＳＸ２がキヤプシヨンビジヨン・デコーダ９に取り込まれる。
キヤプシヨンビジヨン・デコーダ９では、主ビデオ信号ＳＡ及び副ビデオ信号ＳＢのそれぞれにおいて、21ライン目に付加されたＸＤＳ信号ＳＸ１及びＳＸ２を交互にデコードすることによつて、主ビデオ信号ＳＡ及び副ビデオ信号ＳＢの各画面表示規制を判別する。
かくして、スイツチＳＷ１を介して選択された２つのビデオ信号（主ビデオ信号ＳＡ及び副ビデオ信号ＳＢ）にそれぞれ設定されている各画面表示規制データは、１つのキヤプシヨンビジヨン・デコーダ９において繰り返し交互に判別される。
因みに、主ビデオ信号ＳＡ及び副ビデオ信号ＳＢの各ＸＤＳ信号ＳＸ１及びＳＸ２に付加されている画面表示規制データは、画像内容に応じてそのレベルが設定されている。従つて、キヤプシヨンビジヨン・デコーダ９において判別された各画面表示規制データのレベルが、ユーザによつて予め設定されている視聴年齢に応じたレベルよりも高いとき、このことは当該画面表示規制データに対応する画像が、ユーザによつて設定されている年齢より若年の視聴者に対して好ましくない画像であることを表しており、このときマイクロプロセツサ５は、当該画面表示規制データが付加された画像を表示規制する。
この表示規制の対象となる画像が主画像である場合、マイクロプロセツサ５はビデオプロセツサ６内のＹＵＶスイツチＳＷ１０を副画像側に切り換えることにより、主画像が表示される部分を強制的に黒く表示規制する。この主画像に対する表示規制は、主ビデオ信号ＳＡに付加されている表示規制データのレベルが、マイクロプロセツサ５において予めユーザによつて設定されている視聴年齢に応じたレベルと同一又はこれよりも低くなるまで続く。
これに対して、表示規制の対象となる画像が副画像である場合、マイクロプロセツサ５はピクチヤミユート１６によつて副画像を強制的に黒く表示規制する。この副画像に対する表示規制は、副ビデオ信号ＳＢに付加されている表示規制データのレベルが、マイクロプロセツサ５において予めユーザによつて設定されている視聴年齢に応じたレベルと同一又はこれよりも低くなるまで続く。
以上の構成によれば、２つの入力ソースから入力された主ビデオ信号ＳＡ及び副ビデオ信号ＳＢをそれぞれスイツチＳＷ２によつて切り換えて交互にキヤプシヨンビジヨン・デコーダ９に送出するようにしたことにより、主ビデオ信号ＳＡに付加されたＸＤＳ信号ＳＸ１と、副ビデオ信号ＳＢに付加されたＸＤＳ信号ＳＸ２とをそれぞれ検出してデコードすることができる。従つて、ＸＤＳ信号ＳＸ１及びＳＸ２のそれぞれに設定された画面表示規制に関するレイテイングを一入力のキヤプシヨンビジヨン・デコーダ９によつて個別に判別することができ、マイクロプロセツサ５によつてＣＲＴ７の同一画面上に同時に表示される主画像及び副画像の両方に対して、各ビデオ信号ＳＡ及びＳＢに応じた画面表示規制を個別に行うことができる。
また、２つの入力ソースから入力された主ビデオ信号ＳＡ及び副ビデオ信号ＳＢにそれぞれ付加されたクローズドキヤプシヨン・データをスイツチＳＷ２を介して切り換えて交互に一入力のキヤプシヨンビジヨン・デコーダ９に供給してデコードするようにしたことにより、同一画面に表示される主画像及び副画像において、それぞれ個別にキヤプシヨンビジヨンデータを表示することができる。
なお上述の実施例においては、１つのチユーナ３と外部端子とから入力される映像信号を用いて複数の画像を表示する場合について述べたが、本発明はこれに限らず、例えば図２との対応部分に同一符号を付して示す図５に示すように、第１のチユーナ３に加えて第２のチユーナ４を設け、スイツチＳＷ１においてこれら２つのチユーナ３、４及び外部端子ＥＸのなかから２つのビデオ信号を選択し、それぞれ主ビデオ信号ＳＡ及び副ビデオ信号ＳＢとしてビデオプロセツサ６及びピクチヤミユート１６に送出するようにしても良い。
この場合、第２のチユーナ４において選局されるテレビジヨン放送は、第１のチユーナ３によつて選局されるテレビジヨン放送に対して異なる放送局から送信されている。従つて、第２のチユーナ４によつて選局された第３のビデオ信号Ｓ３及び第３の音声信号Ｓ３０をスイツチＳＷ１に送出し、当該スイツチＳＷ１において所望のビデオ信号を選択することにより、第１のチユーナ３によつて選局し得ない他局のチヤンネルを選局することができる。
このようにすれば、現在放送されている２つのチヤンネル及び外部端子ＥＸから入力されるビデオ信号の中から主ビデオ信号ＳＡ及び副ビデオ信号ＳＢを選局することができ、当該選局された主ビデオ信号ＳＡ及び副ビデオ信号ＳＢに応じてそれぞれ個別に画面表示規制及びキヤプシヨンビジヨンの表示を行うことができる。
また上述の実施例においては、ＣＲＴ７の表示画面において主画像Ｐ１の一部に当該主画像Ｐ１よりも小さな副画像Ｐ２を表示する場合について述べたが、本発明はこれに限らず、例えば図６（Ａ）に示すように、主画像Ｐ１及び副画像Ｐ２をそれぞれ同様の大きさの表示領域に並べて表示する場合においても本発明を適用することができる。
また上述の実施例においては、２つの画像（主画像Ｐ１及び副画像Ｐ２）を１つのＣＲＴ７の表示画面に表示する場合について述べたが、本発明はこれに限らず、例えば図６（Ｂ）に示すように、３つ以上の画像Ｐ１〜Ｐ７を１つのＣＲＴ７の表示画面に表示する場合においても本発明を適用し得る。この場合、図２について上述した２入力を切り換えるスイツチＳＷ２に代えて、３入力以上の複数の入力を切り換えるスイツチを設けることにより、３つ以上の複数の各画像に対して、それぞれ個別の画面表示規制を行うことができる。
また上述の実施例においては、キヤラクタジエネレータ１８によつて主画像Ｐ１及び又は副画像Ｐ２にチヤンネル番号キヤラクタＰC1及びＰC2を表示する場合について述べたが、本発明はこれに限らず、例えば図６（Ｃ）に示すように、主画像Ｐ１及び又は副画像Ｐ２にそれぞれのＸＤＳ信号によつて伝送されてくる放送局ロゴを局名ロゴキヤラクタＰC5及び又はＰC6として表示するようにしても良い。このようにすれば、視聴者は各画像の配信元である放送局を知ることができる。因みに、図６（Ｄ）は主画像Ｐ１及び副画像Ｐ２を並列に表示した場合においてそれぞれの画像が表示規制された状態を示す。この場合においても、各画像Ｐ１及びＰ２にそれぞれレーテイング表示キヤラクタＰC3、ＰC4及び局名ロゴキヤラクタＰC5、ＰC6が表示されることにより、視聴者は各画像Ｐ１及びＰ２がそれぞれ表示規制されていることを認識し得ると共に、画像内容を確認することができない表示規制中の各画像Ｐ１及びＰ２の放送局を確認することができる。
またＸＤＳ信号によるデータサービスとしては、１）現在送られている番組開始時間、経過時間、内容等の番組に関する様々な情報、２）これから送られてくる番組開始時間、経過時間、内容等の番組に関する様々な情報、３）放送中の放送局に関する情報、４）時刻情報、５）天気や災害等の情報があり、これら全ての情報をデコードする場合に適用し得る。
さらに付加情報としては、クローズドキヤプシヨン・データやＸＤＳ信号の他にもテキストや21ライン以外に重畳される信号等、ビデオ信号に付加された信号情報一般をデコードする場合に広く適用し得る。
さらに上述の実施例においては、スイツチＳＷ２を切り換えるときの切換えのタイミングとして垂直同期信号を検出した後、水平同期信号を21カウントしたときのタイミングを用いた場合について述べたが、本発明はこれに限らず、垂直同期信号によつて１フイールド毎に切り換えるようにしても良く、また水平同期信号のカウント数も伝送されてくるＸＤＳ信号の付加位置に応じて21カウント以外に任意に設定して良い。
さらに例えば数十メガヘルツのクロツクによつてスイツチＳＷ２を高速に切り換え制御して、主ビデオ信号ＳＡ及び副ビデオ信号ＳＢをそれぞれ交互に読み出してマイクロプロセツサ５に送出し、各々主ビデオ信号ＳＡ用のＲＡＭ（Random Access Memory）及び副ビデオ信号ＳＢ用のＲＡＭに格納した後、付加されたＸＤＳ信号をそれぞれ抽出してキヤプシヨンビジヨン・デコーダ９によつてデコードするようにしても良い。
さらに主画像と副画像の水平同期信号の21ラインをそれぞれ主画像用バツフアと副画像用バツフアに記憶し、それぞれのバツフアから書き込み速度よりも速い速度で読み出してマイクロプロセツサ５に供給し、マイクロプロセツサ５内のキヤプシヨンビジヨン・デコーダ９に入力するようにしても良い。
産業上の利用可能性
テレビジヨン受信装置において、複数のチヤンネルの画像を同一表示画面上に並べて表示する場合等に利用できる。
【図１】
0004006764.tif 000002
【図２】
0004006764.tif 000003
【図３】
0004006764.tif 000004
【図４】
0004006764.tif 000005
【図５】
0004006764.tif 000006
【図６】
0004006764.tif 000007
0004006764.tif 000008